(57)【要約】【課題】安価な構成で簡単に作業ができる作業性を向上させた空気調和機の室外ユニットを提供すること。【解決手段】本発明の空気調和機の室外ユニットは、圧縮機を配置する圧縮機室６を内部に備える外箱１ａと、圧縮機室６の前面に配置され外箱の一部を形成し取り外し可能な圧縮機室部前板８と、外箱の天面側を形成する天板３とを備え、圧縮機室部前板８と天板３とが圧着固定される仮固定部を設けたことにより、作業時に天板と圧縮機室部前板とが仮止めされるため作業性が向上する。【選択図】図２
2012220127.tif 000002
【特許請求の範囲】
【請求項１】
圧縮機を配置する圧縮機室を内部に備える外箱と、前記圧縮機室の前面に配置され前記外箱の一部を形成し取り外し可能な圧縮機室部前板と、前記外箱の天面側を形成する天板とを備え、前記圧縮機室部前板と前記天板とが圧着固定される仮固定部を設けたことを特徴とする空気調和機の室外ユニット。
【請求項２】
前記仮固定部は、前記天板に内方側へ凸となる溝形状と、前記圧縮機室部前板の上端であって前記外箱の前面よりも後方に位置する差込部とで構成され、前記圧縮機室部前板を前記天板に挿入した際に、前記溝形状の内方側の先端が前記差込部に押圧して固定されることを特徴とする請求項１に記載の空気調和機の室外ユニット。
【請求項３】
前記差込部に切込みを設けたことを特徴とする請求項２に記載の空気調和機の室外ユニット。
【請求項４】
前記切込みを複数設けたこと特徴とする請求項２または３に記載の空気調和機の室外ユニット。
【請求項５】
前記差込部に前記溝形状と嵌合する嵌合部を設けたことを特徴とする請求項２から４のいずれか１項に記載の空気調和機の室外ユニット。
【発明の詳細な説明】
【技術分野】
【０００１】
本発明は、空気調和機の室外ユニットに関する。
【背景技術】
【０００２】
大能力タイプのルームエアコンの室外ユニットでは、室外ユニットを横方向に連続して設置できるように、前面側から作業ができるようになっている（例えば、特許文献１参照）。
【０００３】
図７、図８は従来の大型タイプの室外ユニットの外観斜視図、および要部拡大図である。図７において、室外ユニット９０の外箱９０ａは、周囲を上方に向かって折り曲げたユニットベース１００、天面部を覆う天板１０１、前面部を覆い送風機（図示せず）の吹き出し口１０２ａを設けた吹き出し口部前板１０２、圧縮機１０６を内蔵する圧縮機室１０６ａと制御基板（図示せず）を収納する電装部品室１０４とを覆う断面略Ｌ字状の圧縮機室部前板１０３、右側面を覆う側板１０５ａ、１０５ｂから構成されている。
【０００４】
また、圧縮機室部前板１０３は、前面側１０３ａと右側面側１０３ｂとで形成され、さらに圧縮機室部前板１０３の上端及び下端はそれぞれネジ１０３ｄで天板１０１とユニットベース１００に締結されている。
【０００５】
図８は、図７における圧縮機室部前板１０３の右側面側１０３ｂのＤ部と側板１０５ｂのＥ部を拡大した詳細図であり、（ａ）は要部水平断面図、（ｂ）は要部正面図である。
【０００６】
図８に示すように、圧縮機室部前板１０３の右側面側１０３ｂ及び左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。
【０００７】
室外ユニット９０を横方向に連続設置する場合に、圧縮機室部前板１０３が室外ユニット９０の手前方向に外せるようするために係止爪１１０は両端側ともに室外ユニット９０の奥行き方向に突出して形成されており、対応する係合穴１１１は係止爪１１０に直交するように開口している。
【０００８】
そして圧縮機室部前板１０３は、圧縮機室部前板１０３の右側面側１０３ｂ、左側端部１０３ｃに設けられた複数個の係止爪１１０が係合穴１１１に水平方向に挿入された後、上方にスライドされ、さらに上端、下端をそれぞれ１本のネジ１０３ｄで締結することによって吹き出し口部前板１０２、側板１０５ａ、１０５ｂに固着できるため、多くのネジを使用する必要がなく、組立時の作業工数を低減できると共にネジ本数が少ないので見栄えもよい。
【先行技術文献】
【特許文献】
【０００９】
【特許文献１】特開平６−１２３４４６号公報
【発明の概要】
【発明が解決しようとする課題】
【００１０】
しかしながら、前記従来の構成は、圧縮機室部前板１０３を取りつける場合には大型の室外ユニットであるため重量が重く、ネジ１０３ｄで螺着する際に自重により下方へ下が
ろうとする力が働き、ネジ孔がずれてしまうという課題を有していた。
【００１１】
本発明は、前記従来の課題を解決するもので、安価な構成で簡単に作業ができる作業性を向上させた空気調和機の室外ユニットを提供することを目的とする。
【課題を解決するための手段】
【００１２】
前記従来の課題を解決するために本発明の空気調和機の室外ユニットは、圧縮機を配置する圧縮機室を内部に備える外箱と、圧縮機室の前面に配置され外箱の一部を形成し取り外し可能な圧縮機室部前板と、外箱の天面側を形成する天板とを備え、圧縮機室部前板と天板とが圧着固定される仮固定部を設けたことにより、作業時に天板と圧縮機室部前板とが仮止めされるため作業性が向上する。
【発明の効果】
【００１３】
本発明は、安価な構成で簡単に作業ができる作業性を向上させた空気調和機の室外ユニットを提供することができる。
【図面の簡単な説明】
【００１４】
【図１】本発明の実施の形態１における空気調和機の室外ユニットの斜視図
【図２】同実施の形態１の空気調和機の室外ユニットにおける要部断面図
【図３】同実施の形態１の空気調和機の室外ユニットにおける要部断面図
【図４】同実施の形態１の空気調和機の室外ユニットにおける要部断面図
【図５】同実施の形態１の空気調和機の室外ユニットにおける要部断面図
【図６】同実施の形態１の空気調和機の室外ユニットにおける要部斜視図
【図７】従来の空気調和機の室外ユニットの斜視図
【図８】（ａ）従来の空気調和機の室外ユニットにおける要部断面図（ｂ）従来の空気調和機の室外ユニットにおける要部断面図
【発明を実施するための形態】
【００１５】
第１の発明の空気調和機の室外ユニットは、圧縮機を配置する圧縮機室を内部に備える外箱と、圧縮機室の前面に配置され外箱の一部を形成し取り外し可能な圧縮機室部前板と、外箱の天面側を形成する天板とを備え、圧縮機室部前板と天板とが圧着固定される仮固定部を設けたことにより、作業時に天板と圧縮機室部前板とが仮止めされるため作業性が向上する。
【００１６】
第２の発明の空気調和機の室外ユニットは、特に第１の発明において、仮固定部は、天板に内方側へ凸となる溝形状と、圧縮機室部前板の上端であって外箱の前面よりも後方に位置する差込部とで構成され、圧縮機室部前板を天板に挿入した際に、溝形状の内方側の先端が差込部に押圧して固定されることにより、簡単な構成で圧着固定を実現することができる。
【００１７】
第３の発明の空気調和機の室外ユニットは、特に第２の発明において、差込部に切込みを設けたことにより、差込部の弾力性が向上し、より作業性が向上する。
【００１８】
第４の発明の空気調和機の室外ユニットは、特に第２または第３の発明において、切込みを複数設けたことにより、差込部の弾力性がさらに向上し、さらに作業性が向上する。
【００１９】
第５の発明の空気調和機の室外ユニットは、特に第２から第４の発明において、差込部に溝形状と嵌合する嵌合部を設けたことにより、さらに強固な圧着固定が実現できる。
【００２０】
以下、本発明の実施の形態について、図面を参照しながら説明する。なお、この実施の
形態によって本発明が限定されるものではない。
【００２１】
（実施の形態１）
図１は、本発明の実施の形態１における空気調和機の室外ユニットの外観斜視図である。図１に示すように、本実施の形態の室外ユニット１の外箱１ａは、底部を形成するユニットベース２、天面部を覆う天板３、前面部を覆うとともに内蔵された送風機（図示せず）による風を吹き出す吹き出し口４を有する吹き出し口部前板５、圧縮機（図示せず）を内蔵する圧縮機室６や制御基板（図示せず）を収納する電装部品室７を覆う圧縮機室部前板８、右側面を覆う側板となる右側板９を有している。
【００２２】
図２は、本発明の実施の形態１における要部断面図である。図１および図２に示すように、天板３には内方側に向かって凸となる溝形状３ｂを有している。なお、天板３はトレイ形状となっており、図２に示すように溝形状３ｂは、天面側から略垂直に下方に立設する前面側のフランジ３ａに形成されている。
【００２３】
また、図２に示すように、圧縮機室部前板８の上端であって外箱の前面側を形成する面よりも後方に位置する差込部８ｄを有している。そして、差込部８ｄを天板３の内方に差し込むと差込部８ｄが溝形状３ｂと接触し、差込部８ｄが内方側へたわむ。その結果、差込部８ｄにはたわみに反発する力が発生し、差込部８ｄと溝形状３ｂとが圧着固定される。
【００２４】
図３は、差込部８ｄと溝形状３ｂとが圧着固定した状態を示した図である。このように、本実施の形態では仮固定部は、差込部８ｄと溝形状３ｂとで構成され、差込部８ｄのたわみに反発する力を利用して、互いに密着する構成となっている。
【００２５】
また、圧縮機室部前板８は、前面に位置する前面部８ａと右側部８ｂとで断面略Ｌ字状に形成され、上端部に前記天板３の内側に差込む差込部８ｄが設けられ、左端部８ｃと右側部８ｂの端部のそれぞれに、後方に突出した略Ｌ字状の係止爪１０が複数個設けられている。さらに吹き出し口部前板５および右側板９は、それぞれの鉛直端部の前記圧縮機室部前板８に形成した係止爪１０に対応する位置に角形状の係合穴１１が設けられている。
【００２６】
このように構成された室外ユニット１において、圧縮機室部前板８の室外ユニット１への取り付けは、圧縮機室部前板８の係止爪１０を吹出し口部前板５と右側板９の係合穴１１に挿入する。その後、圧縮機室部前板８を上方にスライドさせることにより差込部８ｄが天板３のフランジ３ａに形成した溝形状３ｂにより圧接されることで圧縮機室部前板８が保持されるので、下方にずれないように押えておく必要がなく、ネジ１２で圧縮機室部前板８の上端、下端を天板３ユニットベース２にそれぞれネジ止めすることで圧縮機室部前板８の取り付けは完了する。
【００２７】
また、図４、図５は本実施の形態１における他の実施例を示す図である。図４、図５に示すように差込部８ｄに溝形状３ｂと嵌合する嵌合部である溝形状３ｅを有している。このように、差込部８ｄに溝形状３ｅを設けることによって、より強硬な圧着固定を実現することができる。
【００２８】
また、図６は本実施の形態１における他の実施例を示す図である。図６に示すように、差込部８ｄに複数の切り込みを設け、差込部８ｄの弾力性を向上させている。その結果、天板３に差込部８ｄを挿入しやすくすることができ、作業性を向上させることができる。なお、図６においては切り込みを複数設けたが、これに限定されることはなく、一つの切込みを入れるような構成であってもよい。その場合には、圧縮機室部前板８はＬ字形状に屈曲しているため、その屈曲部に切り込みを設けることによって、より効果的に弾力性を
向上させることができる。
【産業上の利用可能性】
【００２９】
以上のように本発明は、設置時、サービス時に着脱を要する板金製の扉、蓋などを有する各種機器、装置にも適用できるものである。
【符号の説明】
【００３０】
１  室外ユニット
１ａ  外箱
３  天板
３ｂ  溝形状
８  圧縮機室部前板
８ｄ  差込部
【図１】
2012220127.tif 000003
【図２】
2012220127.tif 000004
【図３】
2012220127.tif 000005
【図４】
2012220127.tif 000006
【図５】
2012220127.tif 000007
【図６】
2012220127.tif 000008
【図７】
2012220127.tif 000009
【図８】
2012220127.tif 000010